(57)【要約】【課題】より長い時間にわたって対象部位に温熱を供給できる美容装置を提供する。【解決手段】美容装置１０は、温熱を供給するフェイスユニット２０、および、フェイスユニット２０に電力を供給する給電台１００を備える。フェイスユニット２０は、フェイスユニット２０を構成する各種の要素を収容するハウジング３０、ハウジング３０に熱を供給する第１の蓄熱材５１、および、第１の蓄熱材５１に熱を供給する第２の蓄熱材５２を備える。フェイスユニット２０はさらに、各蓄熱材５１、５２に熱を供給するヒーター５３、および、第２の蓄熱材５２から第１の蓄熱材５１に流れる熱に抵抗を与える熱抵抗要素５４を備える。第２の蓄熱材５２は第１の蓄熱材５１よりも大きい熱容量を持つ。ヒーター５３は第２の蓄熱材５２と熱抵抗要素５４との間に配置される。熱抵抗要素５４はヒーター５３と第１の蓄熱材５１との間に配置される。【選択図】図２
2015226620.tif 000002
【特許請求の範囲】
【請求項１】
ハウジングと、
前記ハウジング内に配置される第１の蓄熱材と、
前記ハウジング内に配置され、前記第１の蓄熱材に熱を供給する第２の蓄熱材と、
前記第１の蓄熱材および前記第２の蓄熱材を加熱する少なくとも１つのヒーターと
を備える美容装置。
【請求項２】
前記第２の蓄熱材の熱容量が前記第１の蓄熱材の熱容量よりも大きい
請求項１に記載の美容装置。
【請求項３】
前記第１の蓄熱材と前記第２の蓄熱材との間に配置される熱抵抗要素をさらに備える
請求項１または２に記載の美容装置。
【請求項４】
前記ヒーターが前記第１の蓄熱材と前記第２の蓄熱材との間に配置され、
前記熱抵抗要素が前記ヒーターと前記第１の蓄熱材との間に配置される
請求項３に記載の美容装置。
【請求項５】
前記第１の蓄熱材が有する主面と前記第２の蓄熱材が有する主面とが互いに面するように前記第１の蓄熱材および前記第２の蓄熱材が前記ハウジング内に配置される
請求項１〜４のいずれか一項に記載の美容装置。
【請求項６】
前記ヒーターに電力を供給する給電台をさらに備え、
前記ヒーターが前記ハウジング内に配置され、
前記ハウジングおよび前記給電台は、前記ハウジングが前記給電台に取り付けられた状態、および、前記ハウジングが前記給電台から取り外された状態を任意に選択できる着脱構造を備える
請求項１〜５のいずれか一項に記載の美容装置。
【発明の詳細な説明】
【技術分野】
【０００１】
本発明は肌に温熱を与える美容装置に関する。
【背景技術】
【０００２】
ユーザーの対象部位に温熱を与える美容装置が知られている。この種の美容装置は、対象部位に与えるための熱を蓄える蓄熱材、および、蓄熱材に熱を供給するヒーターを備える。特許文献１はこのような美容装置の一例を開示している。
【０００３】
特許文献１の美容装置は、ユーザーの顔に装着される温熱マスク、および、温熱マスクに電力を供給する加熱用ホルダーを備える。温熱マスクは、加熱用ホルダーから供給される電力により発熱する電気ヒーター、および、電気ヒーターから出力される熱を蓄える蓄熱材層を備える。蓄熱材層は、３８℃から５０℃の温度領域で固相液相間を相転移する材料により形成される。その一例は、高級脂肪酸と一価もしくは二価の高級アルコールとのエステル、または、非環状炭化水素である。
【０００４】
この美容装置によれば、温熱マスクが加熱用ホルダーに取り付けられることにより加熱用ホルダーから電気ヒーターに電力が供給され、電気ヒーターの熱により蓄熱材層が加熱される。そして、加熱用ホルダーから電気ヒーターに電力が供給される時間が所定の時間に到達したとき、加熱用ホルダーから電気ヒーターへの電力の供給が停止する。
【０００５】
ユーザーは加熱された温熱マスクを顔に装着する。温熱マスクが顔に装着されているときに蓄熱材層が放熱することにより温熱マスクから顔に温熱が供給される。このため、特許文献１の美容装置は、顔の美容を促進する効果を継続的にユーザーに与えることができる。
【先行技術文献】
【特許文献】
【０００６】
【特許文献１】特開２０１２−１１０４２５号公報
【発明の概要】
【発明が解決しようとする課題】
【０００７】
特許文献１の美容装置によれば、蓄熱材層が持つ熱量が低下したときには顔に温熱を供給できなくなる。一方、そのような状態においてもユーザーが温熱マスクの使用を希望する場合には、ユーザーは温熱マスクを加熱用ホルダーに取り付けて温熱マスクを再び加熱する必要がある。このため、ユーザーが煩わしさ感じるおそれがある。
【０００８】
本発明の目的はより長い時間にわたって対象部位に温熱を供給できる美容装置を提供することである。
【課題を解決するための手段】
【０００９】
本発明の一形態に従う美容装置は、ハウジングと、前記ハウジング内に配置される第１の蓄熱材と、前記ハウジング内に配置され、前記第１の蓄熱材に熱を供給する第２の蓄熱材と、前記第１の蓄熱材および前記第２の蓄熱材を加熱する少なくとも１つのヒーターとを備える。
【発明の効果】
【００１０】
美容装置の一形態は、より長い時間にわたって対象部位に温熱を供給できる。
【図面の簡単な説明】
【００１１】
【図１】実施の形態１の美容装置のブロック図。
【図２】実施の形態２の美容装置のブロック図。
【図３】実施の形態３の美容装置のブロック図。
【図４】実施の形態４の美容装置のブロック図。
【図５】実施の形態５の美容装置の斜視図。
【図６】図５の美容装置の正面図。
【図７】図５の給電台からフェイスユニットが分離された状態における正面図。
【図８】図５のフェイスユニットの分解斜視図。
【図９】図５のフェイスユニットが顔に装着された状態を示す斜視図。
【図１０】図７のフェイスユニットの背面図。
【図１１】図１０から給水プレートおよびパッドが省略された背面図。
【図１２】図７のフェイスユニットからカバー等が省略された正面図。
【図１３】図１２のフェイスユニットの分解斜視図。
【図１４】図１０のＸ１４−Ｘ１４線の断面図。
【図１５】図１１のＸ１５−Ｘ１５線の断面図。
【図１６】図１５の蓄熱ユニットの分解斜視図。
【図１７】図１２のＸ１７−Ｘ１７線の断面図。
【図１８】図７の給電台の分解斜視図。
【図１９】図７の給電台の分解斜視図。
【図２０】図７の給電台の分解斜視図。
【図２１】図７のＸ２１−Ｘ２１線の断面図。
【図２２】図６のＸ２２−Ｘ２２線の断面図。
【図２３】図１１のフェイスユニットの一部分の拡大図。
【図２４】図２２の美容装置の一部分の拡大図。
【図２５】実施の形態６の蓄熱ユニットの断面図。
【発明を実施するための形態】
【００１２】
（美容装置が取り得る形態の一例）
〔１〕本発明の一形態に従う美容装置は、ハウジングと、前記ハウジング内に配置される第１の蓄熱材と、前記ハウジング内に配置され、前記第１の蓄熱材に熱を供給する第２の蓄熱材と、前記第１の蓄熱材および前記第２の蓄熱材を加熱する少なくとも１つのヒーターとを備える。
【００１３】
この美容装置によれば、ヒーターが発熱することによりヒーターから第１の蓄熱材および第２の蓄熱材に熱が供給される。このため、第１の蓄熱材が持つ熱量および第２の蓄熱材が持つ熱量が増加する。なお、以下の説明では、第１の蓄熱材が持つ熱量を「第１の蓄熱材の熱量」と記述し、第２の蓄熱材が持つ熱量を「第２の蓄熱材の熱量」と記述することがある。
【００１４】
ヒーターにより第１の蓄熱材および第２の蓄熱材が加熱された後、ハウジングがユーザーの対象部位に装着される。そして、第１の蓄熱材が放熱することによりハウジングが加熱され、ハウジングが放熱することにより対象部位に温熱が供給される。このため、対象部位の美容を促進する効果がユーザーに与えられる。一方、第１の蓄熱材に併せて第２の蓄熱材も放熱するため、第２の蓄熱材から第１の蓄熱材に熱が供給され、その熱により第１の蓄熱材の熱量が補償される。このため、蓄熱材として第１の蓄熱材だけが存在する場合と比較して第１の蓄熱材の熱量が低下する速度が遅くなり、より長時間にわたって対象部位に温熱が供給される。
【００１５】
なお、本発明の特徴的な技術思想は、対象部位に温熱を供給する蓄熱材の熱量が低下することを、その蓄熱材とは別の蓄熱材の熱により補償する点に存在する。上記美容装置に含まれる第１の蓄熱材および第２の蓄熱材は、その美容装置に上記特徴的な技術思想が反映されていることを示す技術的要素の一例である。また、上記第２の蓄熱材は様々な役割を持つことができる。例えば、第２の蓄熱材が主として第１の蓄熱材に熱を供給する場合、および、第２の蓄熱材が第１の蓄熱材に熱を供給しながら第２の蓄熱材自体も対象部位に温熱を供給する場合がある。
【００１６】
〔２〕前記美容装置の一形態は、前記第２の蓄熱材の熱容量が前記第１の蓄熱材の熱容量よりも大きい。
この美容装置によれば、ヒーターにより各蓄熱材が同じ時間にわたって加熱されたとき、第２の蓄熱材の熱量が第１の蓄熱材の熱量よりも多い状態が形成される。このため、各蓄熱材を加熱する時間を個別に制御しなくとも、第２の蓄熱材の熱により第１の蓄熱材の熱量が補償される状態が形成される。このため、ヒーターの制御に関する構成を簡素化できる余地が大きくなる。なお、この美容装置はヒーターにより各蓄熱材を加熱する時間を限定することを意図していない。
【００１７】
〔３〕前記美容装置の一形態は、前記第１の蓄熱材と前記第２の蓄熱材との間に配置される熱抵抗要素をさらに備える。
この美容装置によれば、熱抵抗要素が存在しない場合と比較して、第２の蓄熱材から第１の蓄熱材に流れる熱の移動速度が遅くなり、第２の蓄熱材の熱量が低下する速度が遅くなる。このため、第２の蓄熱材から第１の蓄熱材に供給される熱により第１の蓄熱材の熱量が補償される時間が長くなり、対象部位に温熱が供給される時間が一層長くなる。
【００１８】
〔４〕前記美容装置の一形態は、前記ヒーターが前記第１の蓄熱材と前記第２の蓄熱材との間に配置され、前記熱抵抗要素が前記ヒーターと前記第１の蓄熱材との間に配置される。
【００１９】
この美容装置によれば、ヒーターから第２の蓄熱材に流れる熱の移動速度が、ヒーターから第１の蓄熱材に流れる熱の移動速度よりも高い。このため、１つのヒーターにより各蓄熱材が同じ時間にわたって加熱されたとき、第２の蓄熱材の熱量が第１の蓄熱材の熱量よりも多い状態が形成される。このため、各蓄熱材を共通のヒーターにより加熱しても、第２の蓄熱材の熱により第１の蓄熱材の熱量が補償される状態が形成される。このため、ヒーターに関する構成を簡素化できる余地が大きくなる。なお、この美容装置は搭載するヒーターの数を限定することを意図していない。
【００２０】
〔５〕前記美容装置の一形態は、前記第１の蓄熱材が有する主面と前記第２の蓄熱材が有する主面とが互いに面するように前記第１の蓄熱材および前記第２の蓄熱材が前記ハウジング内に配置される。
【００２１】
この美容装置によれば、第２の蓄熱材の主面から放熱される熱が第１の蓄熱材の主面に効率的に伝達される。このため、第２の蓄熱材から第１の蓄熱材に供給される熱により第１の蓄熱材の熱量が補償される時間が長くなり、対象部位に温熱が供給される時間が一層長くなる。
【００２２】
〔６〕前記美容装置の一形態は、前記ヒーターに電力を供給する給電台をさらに備え、前記ヒーターが前記ハウジング内に配置され、前記ハウジングおよび前記給電台は、前記ハウジングが前記給電台に取り付けられた状態、および、前記ハウジングが前記給電台から取り外された状態を任意に選択できる着脱構造を備える。
【００２３】
この美容装置によれば、給電台からヒーターに電力が供給されることによりヒーターが発熱し、その熱により第１の蓄熱材および第２の蓄熱材が加熱される。このため、美容装置はヒーターに電力を供給するための電源または電源回路をハウジング内に含まない構成を取り得る。美容装置がそのような構成を取る場合には、ハウジングの重量が軽くなり、ユーザーがハウジングを装着したときに圧迫感を覚えるおそれが低減される。
【００２４】
（実施の形態１）
図１は実施の形態１の美容装置１０の機能ブロックに関する構成を示す。
美容装置１０は、温熱を供給するフェイスユニット２０、および、フェイスユニット２０に電力を供給する給電台１００を備える。給電台１００およびフェイスユニット２０は、フェイスユニット２０が給電台１００に取り付けられた状態、および、フェイスユニット２０が給電台１００から取り外された状態をユーザーが任意に選択できるユニット着脱構造を備える。
【００２５】
ユニット着脱構造は、給電台１００に含まれるベースコネクター２００、および、フェイスユニット２０に含まれるユニットコネクター４０により構成される。ユニットコネクター４０がベースコネクター２００に接続されることにより、給電台１００およびフェイスユニット２０が機械的および電気的に接続される。
【００２６】
フェイスユニット２０は、フェイスユニット２０の外形を形成するハウジング３０、および、給電台１００から供給される電力により蓄熱し、蓄熱した熱を放熱することによりハウジング３０を加熱する蓄熱ユニット５０を備える。
【００２７】
蓄熱ユニット５０は、ハウジング３０に熱を供給する第１の蓄熱材５１、第１の蓄熱材５１に熱を供給する第２の蓄熱材５２、および、各蓄熱材５１、５２に熱を供給する複数のヒーター５３を備える。
【００２８】
第１の蓄熱材５１、第２の蓄熱材５２、および、ヒーター５３はハウジング３０の内部に収容される。ハウジング３０は、例えば顔のうちの鼻および口を除いた部分のおおよそ全体を覆うことができる形状を有する。ハウジング３０の一部である加熱部２１の内側に第１の蓄熱材５１が配置される。一方のヒーター５３は、第１の蓄熱材５１と第２の蓄熱材５２との間に配置され、各蓄熱材５１、５２と接触する。他方のヒーター５３は、第１の蓄熱材５１と接触せず、第２の蓄熱材５２と接触するように配置される。
【００２９】
ヒーター５３は、給電台１００から供給される電力により発熱して各蓄熱材５１、５２を加熱する。各蓄熱材５１、５２はヒーター５３から伝達される熱を蓄える。フェイスユニット２０によれば、各蓄熱材５１、５２の加熱が完了したときに第１の蓄熱材５１の温度が所定温度範囲に含まれ、かつ、第２の蓄熱材５２の熱量が第１の蓄熱材５１の熱量よりも多くなるように各蓄熱材５１、５２の蓄熱に関する形態が設定される。
【００３０】
所定温度範囲は、加熱が完了したフェイスユニット２０が顔に装着されたとき、好ましい温度を持つ温熱が適正時間にわたってフェイスユニット２０から顔の対象部位に供給され得る温度範囲である。好まし温度を持つ温熱が対象部位に供給される場合には、顔の対象部位の美容を促進させる効果が得られることがある。ただし、その効果の度合には個人差が存在する。
【００３１】
フェイスユニット２０が取り得る各蓄熱材５１、５２の蓄熱に関する形態は、例えば次の第１の蓄熱形態または第２の蓄熱形態である。なお、ここに示される形態は一例であり、フェイスユニット２０はさらに別の多様な蓄熱形態を取り得る。
【００３２】
第１の蓄熱形態によれば、第２の蓄熱材５２が第１の蓄熱材５１よりも大きい熱容量を持つ。第１の蓄熱材５１に接触するヒーター５３は、第１の蓄熱材５１の温度が所定温度範囲に含まれる目標温度に達するまで第１の蓄熱材５１を加熱する。２つのヒーター５３は、第２の蓄熱材５２の温度が目標温度よりも高い所定温度に達するまで第２の蓄熱材５２を加熱する。所定温度は、所定温度範囲に含まれる温度、および、所定温度範囲に含まれない温度のいずれの温度も取り得る。
【００３３】
第２の蓄熱形態によれば、第２の蓄熱材５２が第１の蓄熱材５１よりも大きい熱容量を持つ。２つのヒーター５３は、所定時間にわたって発熱することにより各蓄熱材５１、５２を加熱する。所定時間は、ヒーター５３の加熱により第１の蓄熱材５１の温度を所定温度範囲に到達させることを意図して設定される。
【００３４】
美容装置１０は例えば次のように使用される。
ユーザーは、フェイスユニット２０に蓄熱するとき、ユニットコネクター４０をベースコネクター２００に接続し、給電台１００からフェイスユニット２０への電力の供給を開始するための操作ボタン（図示略）をオンに設定する。
【００３５】
給電台１００は、操作ボタンのオン操作にともないヒーター５３への電力の供給を開始する。このため、ヒーター５３が発熱し、ヒーター５３から出力された熱が各蓄熱材５１、５２に供給される。各蓄熱材５１、５２がヒーター５３から供給された熱を蓄えることにより、それぞれの蓄熱材５１、５２の熱量が増加し、それぞれの蓄熱材５１、５２の温度が上昇する。
【００３６】
給電台１００は、蓄熱完了条件が成立したことに基づいてヒーター５３への電力の供給を停止する。蓄熱完了条件は例えば、第１の蓄熱材５１の温度が所定温度範囲に到達したこと、第１の蓄熱材５１の温度が目標に到達したこと、または、ヒーター５３による各蓄熱材５１、５２の加熱時間が所定時間に達したことである。
【００３７】
給電台１００は、フェイスユニット２０への電力の供給を停止したとき、各蓄熱材５１、５２の加熱が完了したことをユーザーに報知するための蓄熱完了情報を出力する。蓄熱完了情報は例えば、給電台１００に搭載される光源（図示略）が点灯することにより出力される。
【００３８】
ユーザーは、給電台１００から蓄熱完了情報が出力された後にユニットコネクター４０をベースコネクター２００から分離し、フェイスユニット２０のハウジング３０を顔に装着する。ハウジング３０が顔に装着されることにより、ハウジング３０の加熱部２１が顔の対象部位に面する。対象部位は例えば顔の頬である。なお、以下の説明では、ハウジング３０が顔に装着されることを「フェイスユニット２０が顔に装着される」、または、これに類似する表現により記述する。
【００３９】
フェイスユニット２０が顔に装着されているとき、第１の蓄熱材５１が放熱することによりハウジング３０の加熱部２１に熱が伝達され、加熱部２１が加熱される。また、加熱された加熱部２１が放熱することにより顔の対象部位に温熱が供給される。このため、対象部位の美容を促進する効果がユーザーに与えられる。
【００４０】
一方、第１の蓄熱材５１に併せて第２の蓄熱材５２も放熱するため、第２の蓄熱材５２から第１の蓄熱材５１に熱が供給され、その熱により第１の蓄熱材５１の熱量が補償される。このため、蓄熱材として第１の蓄熱材５１だけが存在する場合と比較して第１の蓄熱材５１の熱量が低下する速度が遅くなり、より長時間にわたって顔の対象部位に温熱が供給される。
【００４１】
実施の形態１の美容装置１０によればさらに以下に示される効果が得られる。
（１）美容装置１０は、フェイスユニット２０に電力を供給する給電台１００を備える。この構成によれば、フェイスユニット２０に電源または電源回路を搭載する必要が生じない。このため、フェイスユニット２０が電源または電源回路を持つ場合と比較して、フェイスユニット２０の重量が軽くなる。このため、ユーザーがフェイスユニット２０を装着したときに圧迫感を覚えるおそれが低減される。
【００４２】
（２）ハウジング３０は顔のうちの鼻および口を除く部分を覆う形状を有する。この構成によれば、例えば、ハウジング３０が顔の頬だけを覆う形状を有する場合と比較してハウジング３０と顔との接触面積が広いため、フェイスユニット２０が顔に装着されているときにフェイスユニット２０が顔に対して移動しにくい。このため、加熱部２１が顔の対象部位からずれるおそれが低減される。
【００４３】
（３）上記（２）の構成によれば、フェイスユニット２０が顔に装着されたときに鼻および口が開放される。このため、ユーザーはフェイスユニット２０を装着した状態において容易に呼吸できる。
【００４４】
（４）上記（２）の構成によれば、フェイスユニット２０が顔に装着されたときにユーザーの視界が閉ざされる。このため、ユーザーはフェイスユニット２０から温熱を受けながら瞑想するような状態を取ることができる。このため、美容装置１０はリラックスさせる効果をユーザーに与えることができる。
【００４５】
（５）特許文献１の美容装置によれば、美容装置を構成する要素の個体差、または、美容装置が使用される環境等の影響により、蓄熱材層に蓄熱される熱量、蓄熱材層から放熱される熱量、または、その両方にばらつきが生じることがある。このため、例えば、蓄熱材層から放熱される熱量が美容装置の設計段階において想定された熱量よりも多い場合には、温熱マスクから顔に温熱が供給される時間が適正時間よりも短くなるおそれがある。一方、美容装置１０によれば、第２の蓄熱材５２から第１の蓄熱材５１に熱が供給されるため、第１の蓄熱材５１の熱量および放熱量にばらつきが生じたとしても、第２の蓄熱材５２から供給される熱によりそのばらつきの度合が小さく抑えられる。このため、フェイスユニット２０が対象部位に温熱を供給する時間が適正時間よりも短くなるおそれが低減される。
【００４６】
（実施の形態２）
図２は実施の形態２の美容装置１０の機能ブロックに関する構成を示す。実施の形態２の美容装置１０は、実施の形態１に明示されてない以下の構成をさらに備える。なお、実施の形態１の要素と同一の符号が付された要素は、実施の形態１の要素と同一または類似の機能を備える。
【００４７】
フェイスユニット２０は、実施の形態１のフェイスユニット２０に含まれる一方のヒーター５３に代えて、ヒーター５３から第１の蓄熱材５１に流れる熱に抵抗を与える熱抵抗要素５４を備える。
【００４８】
ハウジング３０の加熱部２１は平板形状またはそれに類似する形状を有する物体であり、外面２１Ａおよび内面２１Ｂを有する。第１の蓄熱材５１は平板形状またはそれに類似する形状を有する物体であり、第１の主面５１Ａおよび第２の主面５１Ｂを有する。第２の蓄熱材５２は平板形状またはそれに類似する形状を有する物体であり、第１の主面５２Ａおよび第２の主面５２Ｂを有する。ヒーター５３は平板形状またはそれに類似する形状を有する物体であり、第１の主面５３Ａおよび第２の主面５３Ｂを有する。熱抵抗要素５４は平板形状またはそれに類似する形状を有する物体であり、第１の主面５４Ａおよび第２の主面５４Ｂを有する。
【００４９】
加熱部２１が有する外面２１Ａは、フェイスユニット２０が顔に装着されているときに顔の対象部位と面する。第１の蓄熱材５１が有する第１の主面５１Ａは、加熱部２１が有する内面２１Ｂと接触する。熱抵抗要素５４が有する第１の主面５４Ａは、第１の蓄熱材５１が有する第２の主面５１Ｂと接触する。ヒーター５３が有する第１の主面５３Ａは、熱抵抗要素５４が有する第２の主面５４Ｂと接触する。第２の蓄熱材５２が有する第１の主面５２Ａは、ヒーター５３が有する第２の主面５３Ｂと接触する。第２の蓄熱材５２が有する第２の主面５２Ｂは、ハウジング３０の内面との間に空気の層を有する。
【００５０】
美容装置１０は例えば次のように使用される。
給電台１００は、操作ボタンのオン操作にともないヒーター５３への電力の供給を開始する。このため、ヒーター５３から出力された熱が熱抵抗要素５４を介して第１の蓄熱材５１に供給され、その熱が熱抵抗要素５４を介することなく第２の蓄熱材５２に供給される。このため、ヒーター５３から第２の蓄熱材５２に流れる熱の移動速度が、ヒーター５３から第１の蓄熱材５１に流れる熱の移動速度よりも高くなる。このため、蓄熱完了条件が成立したとき、第２の蓄熱材５２の熱量が第１の蓄熱材５１の熱量よりも多い状態が形成される。
【００５１】
ユーザーは、給電台１００から蓄熱完了情報が出力された後にユニットコネクター４０をベースコネクター２００から分離し、フェイスユニット２０を顔に装着する。フェイスユニット２０が顔に装着されているとき、第１の蓄熱材５１により加熱された加熱部２１が放熱することにより顔の対象部位に温熱が供給される。
【００５２】
また、熱抵抗要素５４が存在しない場合と比較して、第２の蓄熱材５２から第１の蓄熱材５１に流れる熱の移動速度が遅くなり、第２の蓄熱材５２の熱量が低下する速度が遅くなる。このため、第２の蓄熱材５２から第１の蓄熱材５１に供給される熱により第１の蓄熱材５１の熱量が補償される時間が長くなり、顔の対象部位に温熱が供給される時間が一層長くなる。
【００５３】
実施の形態２の美容装置１０によれば、上述されるような効果、および、実施の形態１の美容装置１０により得られる（１）〜（５）の効果に加え、さらに以下に示される効果が得られる。
【００５４】
（６）フェイスユニット２０は、ヒーター５３と第１の蓄熱材５１との間に熱抵抗要素５４を備え、ヒーター５３と第２の蓄熱材５２との間に熱抵抗要素５４を備えていない。この構成によれば、１つのヒーター５３により各蓄熱材５１、５２が同じ時間にわたって加熱されたとき、第２の蓄熱材５２の熱量が第１の蓄熱材５１の熱量よりも多い状態が形成される。このため、各蓄熱材５１、５２を共通のヒーター５３により加熱しても、第２の蓄熱材５２の熱により第１の蓄熱材５１の熱量が補償される状態が形成される。このため、ヒーター５３に関する構成を簡素化できる余地が大きくなる。なお、この美容装置１０は搭載するヒーター５３の数を限定することを意図していない。
【００５５】
（実施の形態３）
図３は実施の形態２の美容装置１０の機能ブロックに関する構成を示す。実施の形態３の美容装置１０は、実施の形態２に明示されてない以下の構成をさらに備える。なお、実施の形態２の要素と同一の符号が付された要素は、実施の形態２の要素と同一または類似の機能を備える。
【００５６】
フェイスユニット２０は、液体を保持できる給水プレート６０をさらに備える。給水プレート６０は例えば樹脂材料により形成される。給水プレート６０には、微小な大きさを有する多数の穴（図示略）が形成される。給水プレート６０の穴の大きさは、液体の表面張力により給水プレート６０に液体が保持される程度の大きさに設定される。ハウジング３０および給水プレート６０は、給水プレート６０がハウジング３０に取り付けられた状態、および、給水プレート６０がハウジング３０から取り外された状態をユーザーが任意に選択できるプレート着脱構造を備える。
【００５７】
プレート着脱構造は、ハウジング３０に形成されるプレート受部３２Ａ、および、給水プレート６０に形成されるフック６１により構成される。フック６１がプレート受部３２Ａに取り付けられることにより、給水プレート６０がハウジング３０に固定される。給水プレート６０がハウジング３０に取り付けられているとき、給水プレート６０のおおよそ全体がハウジング３０の加熱部２１と接触する。
【００５８】
美容装置１０は例えば次のように使用される。
ユーザーは、フェイスユニット２０から給水プレート６０を取り外し、給水プレート６０に液体を載せてから給水プレート６０を再びフェイスユニット２０に取り付け、フェイスユニット２０を給電台１００に取り付ける。給水プレート６０に載せられる液体は例えば水である。
【００５９】
ユーザーは、給電台１００から蓄熱完了情報が出力された後にユニットコネクター４０をベースコネクター２００から分離し、フェイスユニット２０を顔に装着する。フェイスユニット２０が顔に装着されることにより、給水プレート６０が顔の対象部位に面する。
【００６０】
フェイスユニット２０が顔に装着されているとき、第１の蓄熱材５１が放熱することによりハウジング３０の加熱部２１に熱が伝達され、加熱部２１が加熱される。また、加熱された加熱部２１が放熱することにより給水プレート６０に熱が伝達され、給水プレート６０に保持されている液体が加熱される。このため、液体が蒸発して温かいミストが発生し、そのミストが顔の対象部位に供給される。また、加熱部２１が放熱することにより対象部位に熱が伝達される。このため、給水プレート６０から発生する温かいミスト、および、加熱部２１から放熱される熱により顔の対象部位の美容を促進する効果がユーザーに与えられる。
【００６１】
実施の形態３の美容装置１０によれば、上述されるような効果、および、実施の形態２の美容装置１０により得られる（１）〜（６）の効果に加え、さらに以下に示される効果が得られる。
【００６２】
（７）フェイスユニット２０はプレート着脱構造を備える。この構成によれば、ユーザーは、給水プレート６０をハウジング３０から分離して給水プレート６０に液体を供給できる。このため、給水プレート６０がハウジング３０と一体的に成形される場合と比較して、ハウジング３０に液体が付着しにくい。このため、加熱部２１から放熱される熱が、給水プレート６０以外の部分に付着した液体に吸収されるおそれが低減される。このため、給水プレート６０に保持される液体から効率的に温かいミストが生成される。
【００６３】
（実施の形態４）
図４は実施の形態４の美容装置１０の機能ブロックに関する構成を示す。実施の形態４の美容装置１０は、実施の形態３に明示されてない以下の構成をさらに備える。なお、実施の形態３の要素と同一の符号が付された要素は、実施の形態３の要素と同一または類似の機能を備える。
【００６４】
フェイスユニット２０は、一対の蓄熱ユニット５０および一対の給水プレート６０を備える。一対の蓄熱ユニット５０は、ハウジング３０の左右方向の中心線に対して線対称の関係を持つ。一対の給水プレート６０は、ハウジング３０の左右方向の中心線に対して線対称の関係を持つ。
【００６５】
美容装置１０は例えば次のように使用される。
ユーザーは、液体が載せられた一対の給水プレート６０をフェイスユニット２０に取り付け、フェイスユニット２０を給電台１００に取り付け、加熱されたフェイスユニット２０を顔に装着する。フェイスユニット２０が顔に装着されることにより、左側の給水プレート６０が左側の頬と面し、右側の給水プレート６０が右側の頬と面する。
【００６６】
フェイスユニット２０が顔に装着されているとき、左側の給水プレート６０から発生する温かいミストが顔の対象部位である左側の頬に供給され、右側の給水プレート６０から発生する温かいミストが顔の対象部位である右側の頬に供給される。また、加熱部２１が放熱することにより顔の対象部位に温熱が供給される。このため、給水プレート６０から発生する温かいミスト、および、加熱部２１から放熱される熱により顔の対象部位の美容を促進する効果がユーザーに与えられる。
【００６７】
（実施の形態５）
図５は実施の形態５の美容装置１０の斜視構造を示す。実施の形態５の美容装置１０は、実施の形態４に明示されてない以下の構成をさらに備える。なお、実施の形態４の要素と同一の符号が付された要素は、実施の形態４の要素と同一または類似の機能を備える。
【００６８】
図５および図６に示される給電台１００およびフェイスユニット２０は、図１〜図４に模式的に示された給電台１００およびフェイスユニット２０が取り得る具体的な形態の一例である。給電台１００は例えば室内の床等の平らな面に設置される。フェイスユニット２０は、その給電台１００を上方から覆うように取り付けられる。
【００６９】
美容装置１０は、フェイスユニット２０を給電台１００に固定するロック機構３００（図２２参照）を備える。ロック機構３００は、フェイスユニット２０が給電台１００に載せられることによりロック状態を形成する。
【００７０】
給電台１００は、給電台１００を構成する各種の要素を内蔵するハウジング１１０、ロック機構３００のロック状態を解除するための解除ボタン１０１、および、美容装置１０の動作モードを選択するための操作ボタン１０２を備える。
【００７１】
ユーザーは、図５または図６に示されるようにフェイスユニット２０が給電台１００に固定されているときに解除ボタン１０１を押してロック状態を解除することにより、図７に示されるとおりフェイスユニット２０を給電台１００から取り外すことができる。給電台１００に含まれるベースコネクター２００は、フェイスユニット２０が給電台１００から取り外されているときに露出する。
【００７２】
フェイスユニット２０のハウジング３０は、曲面を有する円形状の物体に開放部３４が形成された形状を有する。開放部３４は、逆様のＵ字状に類似する形状を有し、フェイスユニット２０が顔に装着されているときに鼻から顎にわたる部分をハウジング３０から開放する。
【００７３】
図５および図６に示されるようにフェイスユニット２０が給電台１００に取り付けられているとき、給電台１００のハウジング１１０の一部であるパネル１４０、解除ボタン１０１、および、操作ボタン１０２がハウジング３０の開放部３４に配置される。このため、ユーザーは、フェイスユニット２０が給電台１００に取り付けられた状態において解除ボタン１０１および操作ボタン１０２を操作できる。
【００７４】
図８はフェイスユニット２０の分解斜視図を示す。
フェイスユニット２０は、ハウジング３０、ユニットコネクター４０、一対の蓄熱ユニット５０（図１３参照）、および、一対の給水プレート６０に加え、ハウジング３０に取り付けられるパッド７０をさらに備える。
【００７５】
ハウジング３０は、ハウジング３０の外形を形成するカバー３１、蓄熱ユニット５０等が取り付けられるベース３２、および、開放部３４においてカバー３１とベース３２との間を埋めるパネル３３を備える。パネル３３がカバー３１の内側の縁に嵌め込まれ、そのカバー３１の背面を覆うようにベース３２が嵌め込まれることにより、ハウジング３０が構成される。カバー３１、ベース３２、および、パネル３３はインロー構造により互いに嵌め合わせられる。このため、ハウジング３０はその内部に液体等が侵入しにくい構造を備える。
【００７６】
パッド７０は柔軟に変形する弾性材料により形成される。その弾性材料は、肌に影響を及ぼしにくい性質を有することが好ましい。一例によれば、パッド７０を形成する弾性材料はシリコーンゴムである。
【００７７】
ハウジング３０およびパッド７０は、パッド７０がハウジング３０に取り付けられた状態、および、パッド７０がハウジング３０から取り外された状態をユーザーが任意に選択できるパッド着脱構造を備える。パッド着脱構造は、パッド７０の背面から突出した複数の差込部７１、および、ベース３２に形成された複数の穴であるパッド受部３２Ｂにより構成される。パッド７０の差込部７１がベース３２のパッド受部３２Ｂに差し込まれることによりパッド７０がベース３２に固定される。
【００７８】
図９に示されるようにフェイスユニット２０が顔に装着されているとき、ハウジング３０の開放部３４により顔のうちの鼻から顎にわたる部分が開放され、それ以外の部分のおおよそ全体がフェイスユニット２０により覆われる。また、右側の給水プレート６０（図８参照）が右側の頬に面し、左側の給水プレート６０（図８参照）が左側の頬に面し、パッド７０（図８参照）が顔にフィットする。
【００７９】
図１０はフェイスユニット２０の背面構造を示す。
ベース３２は一対のプレート受部３２Ａおよび一対の背面凹部３２Ｃを備える。背面凹部３２Ｃはプレート受部３２Ａの上部に形成され、ユーザーが給水プレート６０をフェイスユニット２０から取り外すときに指をかける部分として利用される。フェイスユニット２０のユニットコネクター４０は、ハウジング３０の背面側に露出し、一対の背面凹部３２Ｃの間、かつ、ハウジング３０の開放部３４の上部に配置される。
【００８０】
給水プレート６０は、ベース３２のプレート受部３２Ａに引っ掛けられるフック６１、および、液体を保持するための多数の穴６２を備える。図１０に示されるプレート受部３２Ａおよびフック６１は、図３および図４に模式的に示されたプレート着脱構造が取り得る具体的形態の一例である。
【００８１】
図１１は図１０のフェイスユニット２０から一対の給水プレート６０およびパッド７０が取り外されたフェイスユニット２０の背面構造を示す。ベース３２のうちの給水プレート６０が配置される部分に加熱部２１が形成される。加熱部２１はベース３２の他の部分と一体的に成形され、平面的な形状を有する。ベース３２の縁に複数のパッド受部３２Ｂが形成される。
【００８２】
図１２は図７のフェイスユニット２０からカバー３１、パネル３３、および、パッド７０が取り外されたフェイスユニット２０の正面構造を示す。開放部３４の隣に各蓄熱ユニット５０が配置される。各蓄熱ユニット５０は４本のねじ９３によりベース３２に固定される。ユニットコネクター４０は２本のねじ９３によりベース３２に固定される。各蓄熱ユニット５０は複数の電線９１によりユニットコネクター４０と接続される。なお、図１２は電線９１の一部を省略して表示している。
【００８３】
図１３は、図１２に示される状態から互いに分離されたベース３２、ユニットコネクター４０、および、蓄熱ユニット５０を示す。ベース３２は、蓄熱ユニット５０に対応するねじ９３がねじ込まれる４つのベースボス３２Ｄ、ユニットコネクター４０に対応するねじ９３がねじ込まれる２つのベースボス３２Ｅ、および、ユニットコネクター４０の一部を収容する収容部３２Ｆを備える。収容部３２Ｆは、ベース３２の内面側と外面側とを連通する収容空間３２Ｇを形成する。
【００８４】
ユニットコネクター４０は、電線９１により蓄熱ユニット５０と接続される５本の端子４１、各端子４１を支持する端子台４２、および、端子台４２との間に各端子４１を挟み込む端子カバー４３を備える。電線９１の端部にはラグ板９２が接続される。ラグ板９２の穴に端子４１が挿入されることにより電線９１と端子４１とが電気的に接続される。
【００８５】
ユニットコネクター４０はさらに、収容部３２Ｆの収容空間３２Ｇに配置され、収容部３２Ｆに対してスライドするシャッター４４、および、ハウジング３０の正面側に向けてシャッター４４を押す２つのシャッターばね４５を備える。ユニットコネクター４０はさらに、端子カバー４３を端子台４２に固定する２本のカバーねじ４６を備える。
【００８６】
図１４は図１０のＸ１４−Ｘ１４線の断面構造を示す。図１５は図１１のＸ１５−Ｘ１５線の断面構造を示す。端子台４２は端子４１が挿入される５つの端子穴４２Ａ、および、ねじ９３が挿入される２つの座４２Ｂ（図１５参照）を備える。シャッター４４は、端子４１が挿入される５つの端子穴４４Ａ、および、シャッターばね４５の一部が挿入されるシャッターボス４４Ｂ（図１５参照）を備える。
【００８７】
図１５に示されるように、各端子４１は、端子台４２の端子穴４２Ａおよびシャッター４４の端子穴４４Ａに挿入される。端子カバー４３が２本のカバーねじ４６により端子台４２に固定されることにより、各端子４１が端子台４２に固定される。シャッターばね４５は端子台４２とシャッター４４との間に配置される。シャッターばね４５の一方の端部はシャッターボス４４Ｂに挿入される。シャッターばね４５の他方の端部には端子台４２のボスが挿入される。
【００８８】
端子台４２の座４２Ｂを通過してベースボス３２Ｅにねじ込まれるねじ９３により端子台４２がベース３２に固定される。シャッター４４は、収容部３２Ｆの収容空間３２Ｇに配置され、シャッターばね４５の反力により収容部３２Ｆの突部に押し付けられる。シャッターばね４５の力に抗してシャッター４４を端子台４２側に移動させる力がシャッター４４に加えられるとき、シャッター４４が収容部３２Ｆに対してスライドする。
【００８９】
シャッター４４が、シャッターばね４５の反力により収容部３２Ｆの突部に押し付けられた位置である閉鎖位置を取る場合、端子４１がシャッター４４に覆われる。一方、シャッター４４が、シャッターばね４５の反力に抗して端子台４２側に押し込まれた位置である開放位置を取る場合（図２４参照）、端子４１の先端から中間部分までがシャッター４４の端子穴４４Ａを通過し、シャッター４４から突出する。
【００９０】
図１３はベース３２から分離された各蓄熱ユニット５０を示す。
図１３に示される第１の蓄熱材５１、第２の蓄熱材５２、ヒーター５３、および、図１６に示される熱抵抗要素５４は、図４に模式的に示されたこれらの要素が取り得る具体的な形態の一例である。各蓄熱ユニット５０は第１の蓄熱材５１等に加え、各蓄熱材５１、５２を固定するための２つのスクリューベース５５、および、蓄熱ユニット５０の温度を検出するサーミスタ５６をさらに備える。
【００９１】
各蓄熱ユニット５０はさらに、ヒーター５３の温度が過度に上昇する前にヒーター５３と電源とを電気的に切断する温度ヒューズ５７、および、温度ヒューズ５７を第１の蓄熱材５１に固定するためのヒューズ固定要素５８を備える。各蓄熱ユニット５０はさらに、第１の蓄熱材５１と２つのスクリューベース５５とを固定するための４本のねじ５９（図１６参照）を備える。
【００９２】
図２２に示されるようにフェイスユニット２０が給電台１００に取り付けられているとき、サーミスタ５６は蓄熱ユニット５０の温度に応じて変化する信号（以下では「サーミスタ５６の信号」）をユニットコネクター４０を介して給電台１００に出力する。一例によれば、図１３に示されるようにサーミスタ５６が第１の蓄熱材５１に取り付けられる。このため、サーミスタ５６は、蓄熱ユニット５０の温度を代表する温度として第１の蓄熱材５１の温度を検出する。
【００９３】
図１６は分解された蓄熱ユニット５０の要素の一部を示す。
各スクリューベース５５は、第２の蓄熱材５２のボス挿入穴５２Ｃを通過する２つのボス５５Ａ、および、電線９１（図１３参照）を引っ掛けるための３つのフック５５Ｂを備える。
【００９４】
ヒーター５３の一例はＰＴＣ（positive temperature coefficient）ヒーターである。ＰＴＣヒーターが有する自己温度制御機能により、ヒーター５３の温度が一定温度よりも高い温度に上昇することが妨げられる。このため、ヒーター５３に関する温度制御に異常が生じたとしても各蓄熱材５１、５２の温度が過度に上昇するおそれが低減される。
【００９５】
熱抵抗要素５４を形成する材料の一例は弾性材料であり、その弾性材料の一例はシリコーンゴムである。熱抵抗要素５４は例えばシート形状を有し、第１の蓄熱材５１およびヒーター５３に密着するようにこれらの要素の間に配置される。熱抵抗要素５４は、ヒーター５３から第１の蓄熱材５１に流れる熱に抵抗を与える。
【００９６】
各蓄熱材５１、５２を形成する材料の一例は高い熱伝導率を持つ金属材料であり、その金属材料の一例はアルミニウムまたはアルミニウム合金である。第２の蓄熱材５２は第１の蓄熱材５１よりも大きい質量を持つ。このため、第２の蓄熱材５２は第１の蓄熱材５１よりも大きい熱容量を持つ。このため、第２の蓄熱材５２は第１の蓄熱材５１よりも高い保温性を持つ。
【００９７】
第１の蓄熱材５１は、サーミスタ５６（図１３参照）が配置される台５１Ｃ、温度ヒューズ５７（図１３参照）が配置される別の台５１Ｃ、および、ねじ９３が挿入されるボス５１Ｄを備える。第１の蓄熱材５１はさらに、２つのスクリューベース５５のボス５５Ａを支持する４つの座５１Ｅを備える。
【００９８】
第１の蓄熱材５１が有する第２の主面５１Ｂ、および、第２の蓄熱材５２が有する第１の主面５２Ａはおおよそ同じ面積および形状を有する。第１の蓄熱材５１が有する第２の主面５１Ｂのおおよそ全体と第２の蓄熱材５２が有する第１の主面５２Ａのおおよそ全体とが対向するように各蓄熱材５１、５２が配置される。このような各主面５１Ｂ、５２Ａの関係は、例えば各主面５１Ｂ、５２Ａが同一の投影面に投影されたときに各主面５１Ｂ、５２Ａがその投影面上において重なり合う面積により評価できる。
【００９９】
図１７は図１２のＸ１７−Ｘ１７線の断面構造を示す。
加熱部２１が有する内面２１Ｂと第１の蓄熱材５１が有する第１の主面５１Ａとの間にサーマルグリスが塗布される。第１の蓄熱材５１が有する第１の主面５１Ａは、加熱部２１が有する内面２１Ｂと接触する。熱抵抗要素５４が有する第１の主面５４Ａは、第１の蓄熱材５１が有する第２の主面５１Ｂと接触する。ヒーター５３が有する第１の主面５３Ａは、熱抵抗要素５４が有する第２の主面５４Ｂと接触する。第２の蓄熱材５２が有する第１の主面５２Ａは、ヒーター５３が有する第２の主面５３Ｂと接触する。
【０１００】
第２の蓄熱材５２は第１の蓄熱材５１と直接的に接触していない。第２の蓄熱材５２においてヒーター５３およびスクリューベース５５と接触する部分を除く他の部分は、その表面のおおよそ全体がハウジング３０内の空気と接触する。
【０１０１】
スクリューベース５５のボス５５Ａは第２の蓄熱材５２のボス挿入穴５２Ｃを通過し、第１の蓄熱材５１の座５１Ｅと接触する。ねじ５９が第１の蓄熱材５１の座５１Ｅを通過し、スクリューベース５５のボス５５Ａにねじ込まれることにより、第１の蓄熱材５１およびスクリューベース５５が互いに固定される。熱抵抗要素５４が圧縮変形するようにねじ５９が締め付けられることにより、熱抵抗要素５４の反力によりヒーター５３が第２の蓄熱材５２に強く押し付けられる。
【０１０２】
図１３に示されるとおり、右側のヒーター５３の一方の端子は電線９１により第１の端子４１と接続される。左側のヒーター５３の一方の端子は電線９１により第１の端子４１と接続される。右側のヒーター５３の他方の端子は電線９１により接地用の端子（図示略）と接続される。左側のヒーター５３の他方の端子は電線９１により接地用の端子（図示略）と接続される。
【０１０３】
右側の温度ヒューズ５７の一方の端子は電線９１により第２の端子４１と接続される。右側の温度ヒューズ５７の他方の端子は電線９１により左側の温度ヒューズ５７の一方の端子と直列的に接続される。左側の温度ヒューズ５７の他方の端子は電線９１により接地用の端子（図示略）に接続される。このため、各ヒーター５３の他方の端子と左側の温度ヒューズ５７の他方の端子とが電気的に接続される。
【０１０４】
右側のサーミスタ５６の一方の端子は電線９１により第３の端子４１と接続される。左側のサーミスタ５６の一方の端子は電線９１により第４の端子４１と接続される。右側のサーミスタ５６の他方の端子は電線９１により接地用の端子である第５の端子４１と接続される。左側のサーミスタ５６の他方の端子は電線９１により第５の端子４１と接続される。なお、図示される例によれば、サーミスタ５６に接続される電線９１は、サーミスタ５６の一方の端子に接続される電線９１、および、サーミスタ５６の他方の端子に接続される電線９１を含む。
【０１０５】
図１８〜図２０は分解された給電台１００を示す。
図１８に示される給電台１００は、ハウジング１１０、ベースコネクター２００、および、ロック機構３００等に加え、美容装置１０に含まれる各種の電気要素の動作を制御する制御部４００（図１９参照）を備える。給電台１００はさらに、ユーザーに報知するための情報を出力するＬＥＤ群１６０、および、外部電源の電力を制御部４００に供給する電源コード１７０および電源コネクター１７１（図１９参照）を備える。
【０１０６】
図１８に示されるとおり、ハウジング１１０は、ハウジング１１０の外形を形成するカバー１２０、制御部４００を支持するベース１３０（図１９参照）、および、ＬＥＤ群１６０から出力される光を透過するＬＥＤカバー１５０を備える。ハウジング１１０はさらに、解除ボタン１０１、操作ボタン１０２、および、ＬＥＤカバー１５０まわりを覆うパネル１４０を備える。
【０１０７】
図１９に示されるとおり、ベース１３０は、設置面に対するハウジング１１０のすべりを抑える４つのゴム足１３１、および、表示回路基板４２０を支持する支持板１３２を備える。ゴム足１３１はベース１３０の底面に固定される。
【０１０８】
制御部４００は、ベース１３０に固定され、電源コネクター１７１と電気的に接続される制御回路基板４１０、および、支持板１３２に固定され、制御回路基板４１０と電気的に接続される表示回路基板４２０を備える。
【０１０９】
制御回路基板４１０は、美容装置１０に含まれる各種の電気要素の動作を制御する回路を備える。表示回路基板４２０およびフェイスユニット２０のヒーター５３（図１３参照）は、各種の電気要素の一例である。図２２に示されるようにベースコネクター２００の端子２１０とユニットコネクター４０の端子４１とが接続されているとき、制御回路基板４１０がフェイスユニット２０のヒーター５３およびサーミスタ５６（図１３参照）と電気的に接続される。このため、図２１に示される制御回路基板４１０の回路は、ヒーター５３に電力を供給すること、および、サーミスタ５６の信号を受信することができる。
【０１１０】
図２２に示されるように、ＬＥＤ群１６０は表示回路基板４２０上に実装され、給電台１００の動作モードに応じて点灯する待機モード用ＬＥＤ１６１、低温モード用ＬＥＤ１６２、標準モード用ＬＥＤ１６３、および、高温モード用ＬＥＤ１６４を含む。表示回路基板４２０には、操作ボタン１０２が押し込まれることにともないオンに設定される基板スイッチ４２１がさらに実装される。
【０１１１】
表示回路基板４２０はＬＥＤ群１６０の点灯状態を制御する回路を備える。表示回路基板４２０の回路は、基板スイッチ４２１がオンに設定されることにより制御回路基板４１０に信号を出力し、制御回路基板４１０から受信した信号に応じてＬＥＤ群１６０のうちの対応するＬＥＤの点灯状態を変化させる。
【０１１２】
図１８に示されるとおり、カバー１２０は、制御回路基板４１０等が収容される空間を内部に有する胴１２１、および、胴１２１の下部に形成され、ベース１３０（図１９参照）が取り付けられるフランジ１２５を備える。胴１２１は、ハウジング３０の開放部３４（図７参照）の形状に対応する支持部１２２、ＬＥＤカバー１５０が嵌め込まれる正面凹部１２３、および、ロック機構３００のロックプレート３１０が配置される上方凹部１２４を備える。
【０１１３】
パネル１４０は、ロックプレート３１０の一部をハウジング１１０の外部に案内するプレートガイド１４１、ならびに、解除ボタン１０１および操作ボタン１０２のそれぞれが挿入される２つのボタン穴１４２を備える。図示される例によれば、プレートガイド１４１はパネル１４０の上部に形成される切り欠きである。
【０１１４】
図２０は分解されたベースコネクター２００を示す。
ベースコネクター２００は、制御回路基板４１０（図１９参照）と電気的に接続される複数の端子２１０、各端子２１０を支持する端子台２２０、および、各端子２１０を端子台２２０に固定する端子カバー２３０を備える。図示される例によれば、ベースコネクター２００が備える端子２１０の数は５本である。
【０１１５】
ベースコネクター２００はさらに、端子カバー２３０に対して移動するシャッター２４０、および、シャッター２４０に反力を与えるシャッターばね２５０を備える。ベースコネクター２００はさらに、カバー１２０に嵌め合わせられてカバー１２０とともにハウジング１１０の外形を形成するコネクターカバー２６０、ならびに、端子台２２０等を相互に固定する４本のねじ２７０を備える。
【０１１６】
図２０の端子台２２０は、図２４に示されるように端子２１０が挿入される５つの端子穴２２１、および、図２１に示されるようにシャッターばね２５０が配置される配置空間２２２を備える。図２０の端子カバー２３０は、図２４に示されるようにユニットコネクター４０の端子４１が挿入される５つの端子穴２３１を備える。
【０１１７】
図２０のシャッター２４０は、図２４に示されるようにユニットコネクター４０の端子４１が挿入される５つの端子穴２４１、および、図２１に示されるようにコネクターカバー２６０の外部に突出する２つの突起２４２を備える。図２０のシャッター２４０はさらに、図２１に示されるように端子台２２０の配置空間２２２に挿入される２つのリブ２４３を備える。
【０１１８】
図２０のコネクターカバー２６０は、端子台２２０、端子カバー２３０、および、シャッター２４０を覆う物体であり、図２４に示されるようにユニットコネクター４０の端子４１が挿入される５つの端子穴２６１を備える。
【０１１９】
図２０に示されるベースコネクター２００の各要素は、例えば次の手順で組み立てられる。なお、この説明はベースコネクター２００の組み立て手順を限定することを意図していない。
【０１２０】
各端子２１０が端子台２２０の端子穴２２１に圧入される。図２１に示されるようにシャッターばね２５０が端子台２２０の配置空間２２２に配置される。図２０の端子カバー２３０の正面側に示される２本のねじ２７０により端子カバー２３０が端子台２２０に固定される。図２１に示されるようにシャッター２４０のリブ２４３が端子台２２０の配置空間２２２に挿入される。このため、シャッターばね２５０が端子台２２０とリブ２４３との間に挟み込まれる。
【０１２１】
図２０の端子台２２０、端子カバー２３０、シャッター２４０、および、シャッターばね２５０が組み合わせられた状態において、端子台２２０の背面側に示される２本のねじ２７０により端子台２２０がコネクターカバー２６０に固定される。コネクターカバー２６０の端子穴２６１、端子カバー２３０の端子穴２３１、および、端子台２２０の端子穴２２１は、同軸を有する。
【０１２２】
図２１に示されるとおり、互いに組み合わせられたコネクターカバー２６０および端子台２２０はカバー１２０の上部に固定される。シャッター２４０のリブ２４３は、シャッターばね２５０の反力により端子台２２０の底部に押し付けられる。シャッターばね２５０の力に抗してシャッター２４０を押し上げる力が突起２４２に加えられるとき、シャッター２４０がコネクターカバー２６０および端子カバー２３０に対してスライドする。
【０１２３】
シャッター２４０は、シャッターばね２５０の反力によりリブ２４３が端子台２２０に押し付けられた位置である閉鎖位置を取る場合、端子穴２６１と端子穴２３１との間を閉じる。一方、シャッターばね２５０の反力に抗してシャッター２４０が端子台２２０の配置空間２２２側に押し上げられた位置である開放位置を取る場合、図２４に示されるように端子穴２６１、端子穴２４１、および、端子穴２３１が連通する。このため、ユニットコネクター４０の端子４１が各穴２６１、２４１、２３１を通過し、端子２１０と接触することができる。
【０１２４】
図２２に示されるように給電台１００にフェイスユニット２０が取り付けられているとき、ベースコネクター２００の各端子２１０とユニットコネクター４０の各端子４１とが接続される。このため、図１３の各ヒーター５３に接続される端子４１、温度ヒューズ５７に接続される端子４１、および、各サーミスタ５６に接続される３つの端子４１がそれぞれ図２１の制御回路基板４１０と接続される。このため、各ヒーター５３が制御回路基板４１０と並列接続され、各ヒーター５３と温度ヒューズ５７とが制御回路基板４１０を介して直列接続される。
【０１２５】
このため、一方または両方のヒーター５３の温度が上昇することにより温度ヒューズ５７が切れることがある。この場合には各ヒーター５３への電力の供給が遮断され、ハウジング３０の加熱部２１（図１７参照）の温度が規定温度を超えることが妨げられる。
【０１２６】
図１８は分解されたロック機構３００を示す。
ロック機構３００は、ハウジング１１０に対して突出または没入する方向に移動するロックプレート３１０、ロックプレート３１０に反力を与えるロックばね３２０、および、ロックプレート３１０が差し込まれるプレート受部３３０を備える。図１０に示されるようにプレート受部３３０の一例は、フェイスユニット２０のベース３２に形成される凹部である。
【０１２７】
ロック機構３００およびそれに関連する要素は例えば次の手順で組み立てられる。図２２に示されるように、ロックプレート３１０の突起にロックばね３２０が嵌め込まれ、そのロックプレート３１０およびロックばね３２０がカバー１２０の上方凹部１２４（図１８参照）に配置される。
【０１２８】
図１８の解除ボタン１０１および操作ボタン１０２は、パネル１４０の各ボタン穴１４２に挿入される。そのパネル１４０がカバー１２０に嵌め合わせられることによりロックプレート３１０の一部およびロックばね３２０がパネル１４０により覆われる。ロックばね３２０の力によりロックプレート３１０が突出方向に押されるため、ロックプレート３１０の先端側の部分がパネル１４０のプレートガイド１４１から突出する。
【０１２９】
図２３は、ユニットコネクター４０を中心としたフェイスユニット２０の一部の断面構造を示す。図２４は、ベースコネクター２００およびユニットコネクター４０を中心とした美容装置１０の一部の断面構造を示す。
【０１３０】
フェイスユニット２０のユニットコネクター４０が給電台１００のベースコネクター２００と接続されるとき、図２３に示されるシャッター４４が図２１に示されるコネクターカバー２６０に接触する。その状態からフェイスユニット２０が給電台１００側に押されることにより、シャッター４４がコネクターカバー２６０により開放位置側に押し込まれ、コネクターカバー２６０が収容空間３２Ｇに入り込む。
【０１３１】
図２１に示されるように、コネクターカバー２６０が収容空間３２Ｇに入り込む前の状態によれば、シャッター２４０のリブ２４３がコネクターカバー２６０の底部から突出している。上記のようにコネクターカバー２６０が収容空間３２Ｇに入り込むことにともない、リブ２４３が図２４に示される収容部３２Ｆと接触し、シャッター２４０が収容部３２Ｆにより開放位置側に押し上げられる。このため、図２４に示されるようにコネクターカバー２６０の端子穴２６１、シャッター２４０の端子穴２４１、および、端子カバー２３０の端子穴２３１が連通し、ユニットコネクター４０の端子４１が各穴２６１、２４１、２３１を通過し得る状態が形成される。
【０１３２】
その状態からフェイスユニット２０が給電台１００側にさらに押されることにともない、ユニットコネクター４０の端子４１が各穴２６１、２４１、２３１を通過し、コネクターカバー２６０がシャッター４４を押し込みながら収容空間３２Ｇの奥に入り込む。そして、シャッター４４が所定の位置まで押し込まれたとき、ユニットコネクター４０の端子４１がベースコネクター２００の端子２１０と接触する。
【０１３３】
図２１のコネクターカバー２６０が図２３の収容空間３２Ｇに入り込むとき、図７等に示されるフェイスユニット２０のハウジング３０が図２１のロックプレート３１０を押し下げながら給電台１００に接近する。
【０１３４】
図２４に示されるようにユニットコネクター４０の端子４１がベースコネクター２００の端子２１０と接触するとき、ハウジング３０により押し下げられていたロックプレート３１０がロックばね３２０の力によりプレート受部３３０に嵌め込まれる。このため、ロック機構３００がロック状態を形成する。プレート受部３３０に嵌め込まれたロックプレート３１０は、ロックばね３２０の力によりプレート受部３３０に強く押し付けられる。
【０１３５】
図２２に示されるようにロック機構３００がロック状態を形成しているとき、フェイスユニット２０を給電台１００から分離する力が加えられても、ロックプレート３１０がプレート受部３３０に引っ掛かることによりフェイスユニット２０の移動が妨げられる。井一方、解除ボタン１０１が押し込まれたときには、解除ボタン１０１がロックばね３２０の力に抗してロックプレート３１０を引き下げ、ロックプレート３１０がプレート受部３３０から離脱する。このため、ユーザーはフェイスユニット２０を給電台１００から分離することができる。
【０１３６】
図２２等に示される制御部４００は例えば以下の制御を実行する。
制御部４００は、操作ボタン１０２の操作またはサーミスタ５６の信号に基づいて美容装置１０の動作モードを設定し、設定した動作モードに応じてヒーター５３およびＬＥＤ群１６０の動作を制御する。一例によれば、複数の動作モードは、待機モード、低温蓄熱モード、標準蓄熱モード、および、高温蓄熱モードを含む。
【０１３７】
待機モードは、基本的にはヒーター５３に電力を供給せず、再蓄熱条件が成立しているときに限りヒーター５３に電力を供給する動作モードである。再蓄熱条件は、蓄熱が完了したフェイスユニット２０が給電台１００に取り付けられたままの状態が継続し、フェイスユニット２０の温度が低下し、そのためにフェイスユニット２０を再び加熱することが好ましいか否かを判定するために設定される。
【０１３８】
低温蓄熱モードは、第１の蓄熱材５１の温度が所定温度範囲に含まれる第１の目標温度に到達するまでヒーター５３により各蓄熱材５１、５２を加熱する動作モードである。標準蓄熱モードは、第１の蓄熱材５１の温度が所定温度範囲に含まれる第２の目標温度に到達するまでヒーター５３により各蓄熱材５１、５２を加熱する動作モードである。高温蓄熱モードは、第１の蓄熱材５１の温度が所定温度範囲に含まれる第３の目標温度に到達するまでヒーター５３により各蓄熱材５１、５２を加熱する動作モードである。なお、第２の目標温度は第１の目標温度よりも高く、第３の目標温度は第２の目標温度よりも高い。
【０１３９】
制御部４００は次のように美容装置１０の動作を制御する。
制御部４００は、サーミスタ５６の信号を受信していないことに基づいて、フェイスユニット２０が給電台１００に取り付けられていないと判定し、待機モードを選択し、待機モード用ＬＥＤ１６１を点灯させる。
【０１４０】
制御部４００は、サーミスタ５６の信号に受信していることに基づいて、フェイスユニット２０が給電台１００に取り付けられていると判定し、操作ボタン１０２の操作に応じて複数の動作モードのいずれかを選択する。制御部４００は、操作ボタン１０２の操作に応じて設定する動作モードをトグル方式により変化させる。動作モードが選択される順序は、待機モード、低温蓄熱モード、標準蓄熱モード、および、高温蓄熱モードである。
【０１４１】
制御部４００は、待機モードを設定しているとき、待機モード用ＬＥＤ１６１を点灯させ、再蓄熱条件が成立するときを除いてヒーター５３に電力を供給しない。なお、制御部４００は、再蓄熱条件に基づいてヒーター５３に電力を供給する場合も待機モード用ＬＥＤ１６１を点灯させる。
【０１４２】
制御部４００は、各蓄熱モードにおいてサーミスタ５６の信号に基づいて第１の蓄熱材５１の温度と目標温度との関係を判定し、少なくとも一方の蓄熱材５１の温度が目標温度に到達したことにより蓄熱完了条件が成立したと判定する。制御部４００は、蓄熱完了条件が成立したことに基づいて各蓄熱ユニット５０のヒーター５３への電力の供給を停止し、ＬＥＤ群１６０の点灯状態を点滅から点灯に変化させることにより蓄熱完了情報を出力する。
【０１４３】
ユーザーは、ＬＥＤ群１６０から出力される蓄熱完了情報を視認することによりフェイスユニット２０の蓄熱が完了し、フェイスユニット２０が使用可能な状態であることを認識できる。
【０１４４】
各蓄熱モードの一例によれば以下のとおり美容装置１０が制御される。
制御部４００は、低温蓄熱モードを設定したことに基づいてヒーター５３への電力の供給を開始し、低温モード用ＬＥＤ１６２を点滅させ、第１の蓄熱完了条件が成立するまでヒーター５３への電力の供給および低温モード用ＬＥＤ１６２の点滅を継続する。第１の蓄熱完了条件は、第１の蓄熱材５１の温度が第１の目標温度に到達したことである。
【０１４５】
制御部４００は、第１の蓄熱完了条件が成立したことに基づいてヒーター５３への電力の供給を停止し、低温モード用ＬＥＤ１６２の点灯状態を点滅から点灯に変化させる。制御部４００は、ヒーター５３の電力の供給を停止してから一定時間が経過した後、設定する動作モードを低温蓄熱モードから待機モードに変化させ、低温モード用ＬＥＤ１６２を消灯し、待機モード用ＬＥＤ１６１を点灯させる。
【０１４６】
制御部４００は、標準蓄熱モードを設定したことに基づいてヒーター５３への電力の供給を開始し、標準モード用ＬＥＤ１６３を点滅させ、第２の蓄熱完了条件が成立するまでヒーター５３への電力の供給および標準モード用ＬＥＤ１６３の点滅を継続する。第２の蓄熱完了条件は、第１の蓄熱材５１の温度が第２の目標温度に到達したことである。
【０１４７】
制御部４００は、第２の蓄熱完了条件が成立したことに基づいてヒーター５３への電力の供給を停止し、標準モード用ＬＥＤ１６３の点灯状態を点滅から点灯に変化させる。制御部４００は、ヒーター５３の電力の供給を停止してから一定時間が経過した後、設定する動作モードを標準蓄熱モードから待機モードに変化させ、標準モード用ＬＥＤ１６３を消灯し、待機モード用ＬＥＤ１６１を点灯させる。
【０１４８】
制御部４００は、高温蓄熱モードを設定したことに基づいてヒーター５３への電力の供給を開始し、高温モード用ＬＥＤ１６４を点滅させ、第３の蓄熱完了条件が成立するまでヒーター５３への電力の供給および高温モード用ＬＥＤ１６４の点滅を継続する。第３の蓄熱完了条件は、第１の蓄熱材５１の温度が第３の目標温度に到達したことである。
【０１４９】
制御部４００は、第３の蓄熱完了条件が成立したことに基づいてヒーター５３への電力の供給を停止し、高温モード用ＬＥＤ１６４の点灯状態を点滅から点灯に変化させる。制御部４００は、ヒーター５３の電力の供給を停止してから一定時間が経過した後、設定する動作モードを高温蓄熱モードから待機モードに変化させ、高温モード用ＬＥＤ１６４を消灯し、待機モード用ＬＥＤ１６１を点灯させる。
【０１５０】
制御部４００は、一対の蓄熱ユニット５０における相対的に高い第１の蓄熱材５１の温度と目標温度との関係に基づいて各ヒーター５３への電力の供給を制御する。これは、例えば以下のような効果を得ることを意図している。
【０１５１】
フェイスユニット２０は、一対の蓄熱ユニット５０のヒーター５３が並列的に接続され、各ヒーター５３への電力の供給および停止が連動する構成を備える。一方、ＰＴＣヒーターに供給される電力とＰＴＣヒーターの発熱量との関係は、製品毎にばらつきを持つことがある。このため、相対的に低い第１の蓄熱材５１の温度に基づいてヒーター５３が制御される場合には、各ヒーター５３の動作が連動する構成との関係から、相対的に高い第１の蓄熱材５１の温度が過度に高い温度に到達するおそれがある。
【０１５２】
他方、相対的に高い第１の蓄熱材５１の温度に基づいて各ヒーター５３が制御される場合には、その蓄熱材５１の温度が目標温度に到達したときに各ヒーター５３への電力の供給が停止される。このため、相対的に低い第１の蓄熱材５１の温度に基づいて各ヒーター５３が制御される場合と比較して、相対的に高い第１の蓄熱材５１の温度が過度に高い温度に到達しにくい。
【０１５３】
制御部４００によればさらに次のような制御が実行される。
制御部４００は、複数の蓄熱完了条件のいずれかが成立した後に再蓄熱条件の成否に関する判定を開始し、再蓄熱条件が成立していると判定したとき、その直前に設定していた蓄熱モードを再び選択し、各ヒーター５３およびＬＥＤ群１６０を制御する。
【０１５４】
再蓄熱条件は例えば、蓄熱完了条件が成立してから経過した時間（以下では「蓄熱後経過時間」）が第１の判定時間に達したことである。第１の判定時間は例えば、目標温度と第１の蓄熱材５１の温度との関係を推定するために設定される。蓄熱後経過時間が第１の判定時間に達している場合、それらの時間の関係は、目標温度と第１の蓄熱材５１の温度との差が一定の差よりも大きいことを示唆する。
【０１５５】
制御部４００は、再蓄熱条件に基づいて各ヒーター５３への電力の供給を開始した後に蓄熱完了条件が成立したと判定したとき、最初に蓄熱完了条件が成立した場合と同様にヒーター５３への電力の供給を停止する。
【０１５６】
制御部４００は、再蓄熱条件に基づくヒーター５３への電力の供給が完了した回数（以下では「再蓄熱回数」）が判定回数に達したとき、再蓄熱条件に基づくヒーター５３への電力の供給を実行せず、操作ボタン１０２が操作されるまで待機モードを設定する。
【０１５７】
制御部４００は、蓄熱完了条件が成立して待機モードを設定している場合に、フェイスユニット２０が給電台１００から取り外されたことをサーミスタ５６の信号に基づいて判定したとき、使用終了条件の成否に関する判定を開始する。
【０１５８】
使用終了条件は例えば、フェイスユニット２０が給電台１００から取り外されてから経過した時間（以下では「推定使用時間」）が第２の判定時間に達したことである。第２の判定時間は例えば、フェイスユニット２０が顔に装着された使用時間と適正時間との関係を推定するために設定される。推定使用時間が第２の判定時間に達している場合、それらの時間の関係は、上記使用時間が適正時間に達していることを示唆する。
【０１５９】
制御部４００は、使用終了条件が成立していると判定したとき、給電台１００に使用終了情報を出力させる。使用終了情報は、例えば給電台１００に搭載されるブザー（図示略）から出力される音である。ユーザーは使用終了情報が出力されたことに基づいて、フェイスユニット２０の使用時間が適正時間に達したことを認識できる。
【０１６０】
美容装置１０は例えば次のように使用される。
ユーザーは、図２２に示されるように給電台１００を室内の床等に設置し、電源コード１７０を商用電源に接続する。電源コード１７０から制御部４００に電力が供給されることにより、制御部４００がＬＥＤ群１６０の制御を開始する。制御部４００は、操作ボタン１０２の操作によりいずれかの動作モードが選択されたとき、その動作モードに対応するＬＥＤを点滅させ、各ヒーター５３（図１３参照）への電力の供給を開始する。
【０１６１】
ユーザーは、給電台１００から蓄熱完了情報が出力された後にフェイスユニット２０を使用するとき、解除ボタン１０１（図６参照）を押し込む。このため、図２２に示されるロックプレート３１０がプレート受部３３０から離脱し、ユニットコネクター４０のシャッターばね４５（図１４参照）の力によりユニットコネクター４０がベースコネクター２００に対して移動する。
【０１６２】
ユーザーは、図７に示されるように給電台１００からフェイスユニット２０を取り外した後、図９に示されるようにフェイスユニット２０を顔に装着する。制御部４００は、推定使用時間が第２の判定時間に達したと判定したとき、給電台１００に使用終了情報を出力させる。ユーザーは、給電台１００から使用終了情報が出力されたとき、フェイスユニット２０を顔から外してフェイスユニット２０の使用を終了する。
【０１６３】
実施の形態５の美容装置１０によれば、実施の形態４の美容装置１０により得られる（１）〜（７）の効果に加えてさらに以下に示される効果が得られる。
（８）ユニットコネクター４０はシャッター４４を備える。この構成によれば、フェイスユニット２０が給電台１００に取り付けられていないとき、ユニットコネクター４０の端子４１がシャッター４４に覆われる。このため、端子４１に異物が付着しにくい。また、ユニットコネクター４０の内部の空間に異物が侵入しにくい。
【０１６４】
（９）ユニットコネクター４０はシャッター４４およびシャッターばね４５を備える。この構成によれば、ロックプレート３１０がプレート受部３３０から離脱することにともない、シャッターばね４５の力によりフェイスユニット２０が給電台１００から浮き上がるように姿勢を変化させる。このため、ユーザーがフェイスユニット２０を給電台１００から容易に取り外すことができる。
【０１６５】
（１０）ベースコネクター２００はシャッター２４０を備える。この構成によれば、給電台１００にフェイスユニット２０が取り付けられていないとき、ベースコネクター２００の端子２１０がシャッター２４０により覆われる。このため、端子２１０に異物が付着しにくい。また、ベースコネクター２００の内部の空間に異物が侵入しにくい。
【０１６６】
（１１）第１の蓄熱材５１が高い熱伝達率を持つ金属材料により形成される。この構成によれば、第１の蓄熱材５１から加熱部２１に効率的に熱が伝達される。このため、第１の蓄熱材５１が低い熱伝達率を持つ材料により形成される場合と比較して、加熱部２１における温度のむらが生じにくい。このため、給水プレート６０において発生する温かいミストの量が給水プレート６０の部位毎にばらつきにくい。
【０１６７】
（１２）蓄熱ユニット５０によれば、弾性材料により形成される熱抵抗要素５４がスクリューベース５５と第１の蓄熱材５１とにより圧縮状態に保持される。この構成によれば、熱抵抗要素５４の反力によりヒーター５３が第２の蓄熱材５２に強く押し付けられるため、第２の蓄熱材５２の熱がヒーター５３および熱抵抗要素５４を介して第１の蓄熱材５１に効率的に伝達される。
【０１６８】
（１３）上記（１２）の構成によれば、熱抵抗要素５４が第１の蓄熱材５１に強く接触する。このため、ヒーター５３および第２の蓄熱材５２の熱が熱抵抗要素５４を介して第１の蓄熱材５１に効率的に伝達される。
【０１６９】
（１４）上記（１２）の構成によれば、熱抵抗要素５４がヒーター５３に強く接触する。このため、ヒーター５３の熱が熱抵抗要素５４を介して第１の蓄熱材５１に効率的に伝達される。
【０１７０】
（１５）各蓄熱材５１、５２は、第１の蓄熱材５１が有する第２の主面５１Ｂ、および、第２の蓄熱材５２が有する第１の主面５２Ａのおおよそ全体が面するように配置される。この構成によれば、第２の蓄熱材５２の熱が第１の蓄熱材５１以外の部分に放熱されにくい。このため、第２の蓄熱材５２から第１の蓄熱材５１に効率的に熱が伝達される。
【０１７１】
（実施の形態６）
実施の形態６の美容装置１０は、実施の形態５の蓄熱ユニット５０に代えて、図２５に示される蓄熱ユニット５００を備える点において実施の形態５の美容装置１０と相違し、その他の点において実施の形態５の美容装置１０と実質的に同じ構成を備える。なお、実施の形態５の要素と同一の符号が付された要素は、実施の形態５の要素と同一または類似の機能を備える。
【０１７２】
蓄熱ユニット５００は、ハウジング３０に熱を供給する第１の蓄熱材５１０、第１の蓄熱材５１０に熱を供給する第２の蓄熱材５２０、および、各蓄熱材５１０、５２０に熱を供給するヒーター５３０を備える。蓄熱ユニット５００はさらに、第２の蓄熱材５２０から第１の蓄熱材５１０に流れる熱に抵抗を与える熱抵抗要素５４０、図１３に示されるサーミスタ５６、および、温度ヒューズ５７を備える。蓄熱ユニット５００を構成するこれらの要素はハウジング３０の内部に配置される。
【０１７３】
一例によれば、第２の蓄熱材５２０は四角柱であり、第１の蓄熱材５１０、ヒーター５３０、および、熱抵抗要素５４０は中空の四角柱である。第１の蓄熱材５１０の外周面はハウジング３０の加熱部２１の内面２１Ｂと接触する。第１の蓄熱材５１０が形成する空間に熱抵抗要素５４０が挿入され、第１の蓄熱材５１０の内周面と熱抵抗要素５４０の外周面とが接触する。熱抵抗要素５４０が形成する空間にヒーター５３０が挿入され、熱抵抗要素５４０の内周面とヒーター５３０の外周面とが接触する。熱抵抗要素５４０は第１の蓄熱材５１０とヒーター５３０とにより圧縮状態に保持される。
【０１７４】
ヒーター５３０が形成する空間に第２の蓄熱材５２０が挿入され、ヒーター５３０の内周面と第２の蓄熱材５２０の外周面とが接触する。なお、蓄熱ユニット５００を構成する各要素は、実施の形態５の蓄熱ユニット５０を構成する各要素とおおよそ同じ機能を備える。
【０１７５】
実施の形態６の美容装置１０によれば、実施の形態５の美容装置１０により得られる（１）〜（１１）および（１３）〜（１５）の効果に加えてさらに以下に示される効果が得られる。
【０１７６】
（１６）蓄熱ユニット５００によれば、第２の蓄熱材５２０が熱抵抗要素５４０および第１の蓄熱材５１０により覆われる。この構成によれば、第２の蓄熱材５２０の熱が第１の蓄熱材５１０以外の部分に放熱されにくい。このため、第２の蓄熱材５２０から第１の蓄熱材５１０に効率的に熱が伝達され、第１の蓄熱材５１０の熱量が第２の蓄熱材５２０の熱により補償される時間が一層長くなる。
【０１７７】
（変形例）
各実施の形態に関する説明は、本発明の美容装置が取り得る形態の例示であり、その形態を制限することを意図していない。本発明の美容装置は、各実施の形態以外に例えば以下に示される各実施の形態の変形例を取り得る。
【０１７８】
・変形例の蓄熱ユニット５０によれば、第１の蓄熱材５１と第２の蓄熱材５２とが互いに異なる材料により形成される。
・変形例の蓄熱ユニット５０によれば、第１の蓄熱材５１と第２の蓄熱材５２とが互いに異なる熱容量を持つ。
【０１７９】
・変形例の蓄熱ユニット５０は、１つの第１の蓄熱材５１に熱を供給する複数の第２の蓄熱材５２を備える。
・変形例のフェイスユニット２０は、各実施の形態のフェイスユニット２０と比較して顔のより狭い範囲またはより広い範囲に対応する形状を有する。より狭い範囲は、例えば顔の頬、額、または、目および目元である。より広い範囲は、例えば鼻を除く顔の全体、口を除く顔の全体、または、顔の全体である。
【０１８０】
・変形例の美容装置１０は、フェイスユニット２０からヒーター５３が省略され、ヒーター５３に相当するヒーターが給電台１００に含まれる構成を備える。
・変形例の美容装置１０は、給電台１００の各種の機能がフェイスユニット２０に組み込まれ、給電台１００が省略された構成を取り得る。
【０１８１】
・変形例の美容装置１０は、電源回路と制御部４００に相当する制御部とがフェイスユニット２０に含まれる構成を備える。この場合、フェイスユニット２０は、給電台１００から供給される電力または外部電源から供給される電力により動作する。フェイスユニット２０が外部電源の電力により動作する場合、美容装置１０は給電台１００が省略された構成を取り得る。
【０１８２】
・変形例の美容装置１０は、電源と制御部４００に相当する制御部とがフェイスユニット２０に含まれる構成を備える。電源が二次電池である場合、フェイスユニット２０は、給電台１００から供給される電力または外部電源から供給される電力により充電する。フェイスユニット２０が外部電源の電力により充電する場合、美容装置１０は給電台１００が省略された構成を取り得る。
【０１８３】
なお、上記詳細な説明は例証的であり制限的でないことを意図する。例えば、上述した各実施の形態、または、１つあるいは複数の変形例は、必要に応じて互いに組み合わせられる余地を含む。本開示の技術的特徴または主題は、特定の実施の形態の全ての特徴よりも少ない特徴に存在することがあり得る。このため、特許請求の範囲は発明の詳細な説明に組み込まれ、各請求項は個別の実施の形態として自分自身を主張する。そして、本開示の範囲は特許請求の範囲に与えられる権利、および、その均等物の全ての範囲の双方に基づいて確定される。
【産業上の利用可能性】
【０１８４】
本発明は、例えば家庭で使用される家庭用の美容装置、または、エステサロン等で使用される業務用の美容装置に適用できる。
【符号の説明】
【０１８５】
１０  ：美容装置
３０  ：ハウジング
５１  ：第１の蓄熱材
５２  ：第２の蓄熱材
５３  ：ヒーター
５４  ：熱抵抗要素
１００：給電台
【図１】
2015226620.tif 000003
【図２】
2015226620.tif 000004
【図３】
2015226620.tif 000005
【図４】
2015226620.tif 000006
【図５】
2015226620.tif 000007
【図６】
2015226620.tif 000008
【図７】
2015226620.tif 000009
【図８】
2015226620.tif 000010
【図９】
2015226620.tif 000011
【図１０】
2015226620.tif 000012
【図１１】
2015226620.tif 000013
【図１２】
2015226620.tif 000014
【図１３】
2015226620.tif 000015
【図１４】
2015226620.tif 000016
【図１５】
2015226620.tif 000017
【図１６】
2015226620.tif 000018
【図１７】
2015226620.tif 000019
【図１８】
2015226620.tif 000020
【図１９】
2015226620.tif 000021
【図２０】
2015226620.tif 000022
【図２１】
2015226620.tif 000023
【図２２】
2015226620.tif 000024
【図２３】
2015226620.tif 000025
【図２４】
2015226620.tif 000026
【図２５】
2015226620.tif 000027